(57)【要約】複数階の建造物の建設中、建設中の階に流入する雨水等を外部へ排水する仮設排水設備は、建設中の階の床スラブに設けられた貫通孔に接続された可撓性を有する排水収集ホースと、建物の打設済みの階の床スラブ上に配設され、排水収集ホースに接続された沈砂容器と、建物の最下階に設けられ、沈砂容器から排出された排水を排水ホースを介して蓄積する排水ピットと、排水ピットに設けられた排水ポンプとを有し、排水ピットに集められた排水は、排水ポンプにより、建物外部に排出される。
2009119518.tif 000002
【特許請求の範囲】
【請求項１】
複数階の建造物の建設中、建設中の階に流入する雨水等を外部へ排水する仮設排水設備において、前記仮設排水設備は排水収集系統と、排水吐出系統とを含み、
前記排水収集系統は、
建設中の階の床スラブに設けられた貫通孔に接続された可撓性を有する排水収集ホースと、
前記建物の打設済みの下階の床スラブ上に配設され、前記排水収集ホースに接続された排水収集容器と、
前記建物の最下階に設けられ、前記排水収集容器から排出された排水を排水ホースを介して収集する排水ピットと、を有し、
前記排水吐出系統は、
前記排水ピットに設けられた排水ポンプと、
前記排水ポンプに接続される排水管と、を有することを特徴とする仮設排水設備。
【請求項２】
前記排水収集系統は、さらに建物の打設済みの階の床スラブに設けられた排水収集ファンネルを含み、排水収集ファンネルには前記建物の床スラブおよび建物側壁に埋設された排水収集ライザ配管が接続され、前記排水収集容器から排出された排水を前記ライザ配管を介して前記排水ピットに収集することを特徴とする請求項１に記載の仮設排水設備。
【請求項３】
前記排水収集ホースはホースガイド管を介して貫通孔に接続されたことを特徴とする請求項１に記載の仮説排水設備。
【請求項４】
前記排水収集容器は、水分と砂分とを分離する沈砂容器であることを特徴とする請求項１に記載の仮設排水設備。
【請求項５】
複数階の建造物の建設中、建設中の階に流入する雨水等を外部へ排水する仮設排水方法において、
建物の建設中の階の床スラブに貫通孔を設け、
前記床スラブ上の雨水等の水分を前記貫通孔に接続した排水ホースを介して排水し、
前記排水を建物の既に打設済みの階の床スラブ上に設けた容器に収集し、
前記容器から排出された排水を建物の最下階に設けた排水ピットに収集し、
前記排水ピットから排水を建物の外に排出する、ことを特徴とする仮設排水方法。
【請求項６】
前記貫通孔は最終排水終了後に閉塞されることを特徴とする請求項５に記載の仮説排水方法。
【請求項７】
前記容器において、水分と砂分とを分離するようにしたことを特徴とする請求項５に記載の仮設排水方法。
【発明の詳細な説明】
【技術分野】
【０００１】  本発明は、建築中の建造物、例えば原子力発電所の原子炉建屋などの中に流入する雨水を外部へ排水する仮設排水設備および仮設排水方法に関する。
【背景技術】
【０００２】  高層ビルや原子炉建屋などのコンクリート製の複数階建造物を建設する場合、下層階から順次にコンクリートを打設する。例えば、一階の天井部分（二階の床部分）のスラブを打って一階部分のコンクリートの打設が完了すると、次に二階部分のコンクリートの打設にかかる。【０００３】  ところで、下の階の打設が済んで上の階の打設その他の作業中に、打設済みの下の階へ雨水などが流入することは好ましくない。特に、建設作業の効率化のために、打設が済んだ階は内装工事や原子炉または装置などの設置に着手する場合もある。この場合には雨水の流入を避けることは必須である。【０００４】  そこで、一般には打設の済んだ階のいずれかを止水階とし、止水階よりも下の階への雨水の流入を阻止することが図られる。止水階の床スラブ上に溜められた雨水は、ポンプなどで排水される。【０００５】  図６は、従来の排水設備を示す概略の構成図である。【０００６】  図６に示すように、従来の仮設排水設備７０は、建設中の鉄筋コンクリート製または鉄骨鉄筋コンクリート製の複数階建造物１に設けられる。複数階建造物１は、一階７２と二階７３の打設が終了し、三階７４が打設される。例えば、二階７３を止水階とし、二階７３の床スラブ７５（一階天井スラブ）上で、三階７４より上の階からの雨水の流入を止め、一階への雨水の流入が阻止される。【０００７】  したがって、上の階から流入した雨水は止水階で止められ、一階７２に流入することはない。床スラブ７５の上に溜められた雨水は、ポンプ７６によってホース７７を介して二階７３の側壁７８に形成された窓用の開口７９から屋外に排出される（例えば、特許文献１：特開２００４−８４４１４号公報参照）。【０００８】  原子炉建屋のようなコンクリート製の複数階建造物では、同じ階に多数の部屋を有する。このようなコンクリート製の複数階建造物では、建設中の上の階を止水階にすると、多数の部屋に亘って雨水などの排水が溜められることになり、各部屋ごとに多数の排水ポンプが必要になり、複数階建造物から屋外に排水を効率的に排出することが難しい。【０００９】  また、原子炉建屋のようなコンクリート製の複数階建造物では、その建設期間は数年間の長期に亘る。排水には砂などが混ざり、この排水に含まれる砂が排水ポンプを詰まらせて、排水の排出を困難にする虞がある。
【発明の開示】
【００１０】  本発明は、建設期間中のコンクリート製の複数階建造物において、簡易な構成で、長期間に亘り、効率的に排水を排出可能な仮設排水設備および仮設排水方法を提案する。
【００１１】  前記の課題を解決するため本発明における仮設排水設備は、複数階の建造物の建設中、建設中の階に流入する雨水等を外部へ排水する仮設排水設備であって、前記仮設排水設備は排水収集系統と、排水吐出系統とを含み、
前記排水収集系統は、
建設中の階の床スラブに設けられた貫通孔に接続された可撓性を有する排水収集ホースと、
前記建物の打設済みの下階の床スラブ上に配設され、前記排水収集ホースに接続された排水収集容器と、
前記建物の最下階に設けられ、前記排水収集容器から排出された排水を排水ホースを介して収集する排水ピットと、を有し、
前記排水吐出系統は、
前記排水ピットに設けられた排水ポンプと、
前記排水ポンプに接続される排水管と、を有することを特徴とする。
【００１２】  上記の仮設排水設備では、前記排水収集系統は、さらに建物の打設済みの階の床スラブに設けられた排水収集ファンネルを含み、排水収集ファンネルには前記建物の床スラブおよび建物側壁に埋設された排水収集ライザ配管が接続され、前記排水収集容器から排出された排水を前記ライザ配管を介して前記排水ピットに収集してもよい。
【００１３】  また、排水収集ホースはホースガイド管を介して貫通孔に接続しても良い。
【００１４】  また、前記排水収集容器は、水分と砂分とを分離する沈砂容器である事が好ましい。
【００１５】  更に、前記の課題を解決するため本発明における仮設排水方法は、複数階の建造物の建設中、建設中の階に流入する雨水等を外部へ排水する仮設排水方法であって、建物の建設中の階の床スラブに貫通孔を設け、床スラブ上の雨水等の水分を前記貫通孔に接続した排水ホースを介して排水し、前記排水を建物の既に打設済みの階の床スラブ上に設けた容器に収集し、前記容器から排出された排水を建物の最下階に設けた排水ピットに収集し、前記排水ピットから排水を建物の外に排出することを特徴とする。
【００１６】  また、前記貫通孔は最終排水終了後に閉塞される。
【００１７】  また、前記容器では水分と砂分とを分離するようにする事が好ましい。
【００１８】  上述の特徴を有する本発明によれば、建設期間中のコンクリート製の複数階建造物において、簡易な構成で、長期間に亘り、効率的に排水を排出可能な仮設排水設備および仮設排水方法を提案することができる。
【図面の簡単な説明】
【００１９】
【図１】本発明に係る仮設排水設備が適用される建設中の複数階建造物の概略図。
【図２】本発明に係る仮設排水設備の床スラブ貫通孔構造を示す複数階建造物の部分的な断面図。
【図３】本発明に係る仮設排水設備の床スラブ貫通孔に収集ホースが接続された状態を示す複数階建造物の部分的な断面図。
【図４】本発明に係る仮設排水設備の沈砂容器の断面図。
【図５】本発明に係る仮設排水設備の床スラブ貫通孔を塞いだ状態を示す複数階建造物の部分的な断面図。
【図６】従来の排水設備を示す概略の構成図。
【発明を実施するための最良の形態】
【００２０】  以下、本発明に係る仮設排水設備の実施の形態について、図１から図５を参照して説明する。【００２１】  図１は建設中の建物を示し、複数階建造物１は、本実施例では鉄筋コンクリート造の原子炉建屋であり、複数階建造物１の平面視では一辺が１００ｍ程度の略方形状の建造物である。【００２２】  図示の複数階建造物１は、地下二階３と地下一階４と一階５との打設が終了し、二階６が打設する過程を示す。【００２３】  この建設中の複数階建造物１には、各階に複数の部屋８が設けられ、部屋８は複数階建造物１が原子炉建屋であれば、全体では５００室程度の部屋数になる。部屋８には電気設備が収容される電気品室（例えば、図１における地下一階の８（８ｂ２）、８（８ｂ３）室）が含まれる。【００２４】  複数階建造物１には仮設排水設備１１が設けられる。【００２５】  仮設排水設備１１は、複数階建造物１内の排水を排水ピット１２に集める排水収集系統１３と、排水ピット１２に集められた排水を複数階建造物１外に排出させる排水吐出系統１４とから構成される。排水ピット１２は複数階建造物１の最下階に設けられる。【００２６】  排水収集系統１３として、それぞれの部屋８の床スラブ１５に設けた床スラブ貫通孔１６を有する貫通構造を含み、建造物の構造によっては、排水収集ファンネル１７を有するファンネル構造を含む。【００２７】  床スラブ貫通孔１６は、ある階の部屋８とその下の階の部屋８とを連通するよう設けられ、床スラブ貫通孔１６には可撓性を有する収集ホース１８の一端が着脱自在に接続される。収集ホース１８の他端は階下の床スラブ１５上に配設された沈砂容器１９に接続される。沈砂容器１９には上の階から供給された排水が一旦蓄積される。沈砂容器１９は排水に含まれた砂や埃などの水よりも比重の大きい物を蓄積しつつ、主に液体からなる排水を排出する構造を有する。沈砂容器１９から排出された排水は、沈砂容器１９に接続された排出ホース２０から床スラブ１５に設けられた床スラブ貫通孔１６を介して下層階に排出される。以下、排水は繰り返し順次下層階に運ばれて最終的に排水ピット１２に至る。【００２８】  上記構成を図１を参照してより具体的に説明する。【００２９】  排水収集系統１３における床スラブ貫通構造は、例えば建設中の二階６の部屋と打設された一階５の部屋８（８ａ１）とを連通する床スラブ１５に形成した貫通孔１６（１６ａ１）を有する。床スラブ貫通孔１６（１６ａ１）に接続された収集ホース１８（１８ａ１）は一階５の部屋８（８ａ１）の床スラブ１５（１５ａ１）上に配設された沈砂容器１９（１９ａ１）に接続される。沈砂容器１９（１９ａ１）の排出ホース２０（２０ａ１）は床スラブ１５（１５ａ１）に設けられた床スラブ貫通孔１６（１６ｂ１）に接続される。以下、排水は繰り返し階下に運ばれて排水ピット１２に至る。【００３０】  また、本発明において、建造物の種類によっては、例えば仮設設備であっても一切の水漏れ等が好ましくない部屋、例えば電気設備等が設置される部屋等がある場合には上記の貫通孔構造に変えて排水収集ファンネル構造を採用することも出来る。【００３１】  例えば、図１における建物の地下１階４に形成される電気設備等を配設する部屋８（８ｂ２）の天井床スラブ１５（１５ａ２）には、排水収集ファンネル１７（１７ａ２）を有する排水収集ファンネル構造が設けられ、排水収集ファンネル１７（１７ａ２）は、床スラブ１５（１５ａ２）及び部屋８（８ｂ２）の側壁２１に埋設された排水収集ライザ配管２２に接続される。排水収集ライザ配管２２は、最下階の側壁においてピット間連絡配管２３に接続される。【００３２】  図１の構成において、排水を排水収集ファンネル１７から排水ピット１２に排出させる場合は、一階８（８ａ２）に設けた排水収集ファンネル１７（１７ａ２）の上の階（二階）の床スラブ貫通孔１６（１６ａ２）から収集ホース１８（１８ａ２）と沈砂容器１９（１９ａ２）と排出ホース２０（２０ａ２）とが順次に接続され、排出ホース２０（２０ａ２）が排水収集ファンネル１７（１７ａ２）に接続される。したがって、沈砂容器１９（１９ａ２）によって砂などの水よりも比重の大きい物が分離された排水が排水収集ファンネル１７（１７ａ２）に排出されて、排水ピット１２に収集される。【００３３】  最下階である地下二階３のほぼ四隅には排水ピット１２が配設される。排水ピット１２は、その上限の貯水量の水面の高さが最下階である地下二階３の床位置よりも低くなるように設けられる。排水ピット１２はピット間連絡配管２３で連通され、それぞれの排水ピット１２の貯水量が略同等に保たれる。【００３４】  排水ピット１２には、排水吐出系統１４として、小出力の第１の排水ポンプ２５と大出力の第２の排水ポンプ２６とが設けられる。第１の排水ポンプ２５と第２の排水ポンプ２６とは、それぞれの逆止弁２８、２９と、仕切弁３０、３１とを介して排水吐出配管３２に接続される。排水吐出配管３２は、仕切弁３３を介して沈殿槽に接続される。【００３５】  なお、本実施例では第１の排水ポンプ２５と第２の排水ポンプ２６とが設けられているが、排水ポンプはいずれか１台としても良い。【００３６】  図２は、本発明に係る仮設排水設備の床スラブ貫通構造を示す複数階建造物の部分的な断面図である。【００３７】  図２に示すように、建設中の複数階建造物１の床スラブ１５には、床スラブ貫通孔１６が設けられる。【００３８】  床スラブ貫通孔１６は、コンクリートを打設して床スラブ１５を形成するのと同時に、床スラブ１５を貫通させて設けられる。【００３９】  床スラブ貫通孔１６は、部屋８の床面に開口された略円筒状のファンネル部３６を含む。ファンネル部３６の底部には接続管部３７が挿通され、接続管部３７の下端にはホースガイド管部３８が挿入されて連通され、ホースガイド管部３８の下端部３８ａには下の階の天井面と略面一に設けられ内方に延出する内フランジ部４０が設けられる。【００４０】  接続管部３７の一端（上端）はファンネル部３６の底部３６ａから上方へ突設され、下端は床スラブに１５に適宜に埋設される。但し、接続管部３７の上端縁部は貫通孔１６を越え床スラブ１５より上方へと出ることはない。【００４１】  ホースガイド管部３８の外径は接続管部３７の内径よりも若干小さく、ホースガイド管部３８の上端部３８ｂは接続管部３７の下端部３７ａに適宜に挿入される。したがって、接続管部３７の内部にはホースガイド管部３���の上端部３８ｂによって段差部４１が形成される。また、ホースガイド管部３８の下端部３８ａには内フランジ部４０によって段差部４２が形成される。【００４２】  少なくとも内フランジ部４０はステンレス鋼を用いて形成される。【００４３】  尚、図示の実施例においては、ファンネル部３６は円筒状であることが望ましく、貫通孔の開口部の径は２００ｍｍ程度が好ましいがこれにこだわる必要もなく必要に応じて適宜定められる。【００４４】  図３は、本発明に係る仮設排水設備の床スラブ貫通孔に収集ホースが接続された状態を示す複数階建造物の部分的な断面図である。【００４５】  図３に示すように、建設中の複数階建造物１の床スラブ１５に設けられた床スラブ貫通孔１６には収集ホース１８が接続される。【００４６】  収集ホース１８の端部（図３において、上端部）には、鍔部４５を有するホースコネクタ部４６が設けられる。【００４７】  収集ホース１８は、ホースコネクタ部４６の鍔部４５を床スラブ貫通孔１６の段差部４１にシールリング４７を介して当接させて保持される。また収集ホース１８が床スラブ貫通孔１６に接続されると目皿４９がホースコネクタ部４６の上方に配設される。【００４８】  図４は、本発明に係る仮設排水設備の沈砂容器の断面図である。【００４９】  図４に示すように仮設排水設備１１の沈砂容器１９は、収集ホース１８の他端部（図３において下端部）が接続される流入管部５０と、流入管部５０から流れ込む排水が一時的に蓄積される容器部５１と、容器部５１の側壁部５２に設けられ、排出ホース２０に接続される排出管部５３とから構成される。【００５０】  容器部５１は、上方が開口された容器本体５４と、容器本体５４の蓋体５５とから構成される。蓋体５５には流入管部５０が設けられる。排出管部５３が設けられる高さｈは容器本体５４の高さＨの約半分から約３／４（１／２Ｈ≦ｈ≦３／４Ｈ）の高さで側壁部５２に設けられる。したがって容器本体５４内には砂Ｓなどが蓄積される容量が多く確保されるとともに、一時的に大量の排水が容器本体５４に流入しても、容器本体５４から排水が容易に溢れ出すことはない。【００５１】  容器本体５４の形状は特に限定しないが、円筒形状の容器や箱状の容器が用いられる。【００５２】  本実施形態に係る仮設排水設備１１では、複数階建造物１に雨が降ると、先ず建設中の二階６の床スラブ１５上に雨水が降り注ぐ。二階６の床スラブ１５上に降り注いだ雨水は、砂や埃などが含まれた排水として床スラブ貫通孔１６ａに流れ込む。床スラブ貫通孔１６ａに流れ込んだ排水は、収集ホース１８ａを通って沈砂容器１９ａに一旦蓄積される。沈砂容器１９ａでは排水に含まれた砂や埃などの水よりも比重の大きい物が沈砂容器１９ａの底に沈み蓄積される。砂や埃などの水よりも比重の大きい物が除かれて、主に液体からなる排水は沈砂容器１９ａから排出されて排出ホース２０ａから床スラブ１５ａ１（１５ａ２）に設けられた床スラブ貫通孔１６ｂまたは排水収集ファンネル１７に流れ込む。床スラブ貫通孔１６ｂに流れ込んだ排水は、繰り返し階下に運ばれて排水ピット１２に至る。他方、排水収集ファンネル１７に流れ込んだ排水は、排水収集ライザ配管２２から階下に運ばれてピット間連絡配管２３に流れ込み、排水ピット１２に至る。【００５３】  排水ピット１２に溜められた排水は、排水ピット１２に設けられた第１の排水ポンプ２５と第２の排水ポンプ２６によって排水吐出配管３２を介して沈殿槽に送られる。このとき仕切弁３０、３１および３３はいずれも開かれる。また、排水ピット１２内の排水の貯水量が所要以下であれば、主に小出力の第１の排水ポンプ２５を運転させて排水が排出され、排水の貯水量が所要を超え、流れ込む排水量が増えると第１の排水ポンプ２５とともに大出力の第２の排水ポンプ２６も運転させて排水が排出される。【００５４】  したがって、ある階の建設中に、その階よりも下の階、例えば二階６の建設中に打設された地下二階３と地下一階４と一階５とには雨水などの排水が床面に流入することはない。特に、建設作業の効率化のために、打設が済んだ地下二階３と地下一階４と一階５とは内装工事や原子炉または装置などの設置に着手する場合に、例えば電気品室８ｂ２に電子機器などの装置を設ける場合に、ファンネル構造を採用することにより、より確実に近傍への雨水の流入を避けることができる。【００５５】  次に、複数階建造物から排水の排出が不要になった後の仮設排水設備の後処置、特に床スラブ貫通孔１６の後処理について説明する。【００５６】  図５は、本発明に係る仮設排水設備の床スラブ貫通孔を塞いだ状態を示す複数階建造物の部分的な断面図である。【００５７】  図５に示すように、建設中の複数階建造物１の床スラブ１５に設けられた床スラブ貫通孔１６は、雨水などの流入の虞がなくなると塞がれる。【００５８】  床スラブ貫通孔１６を塞ぐ際は、先ず、収集ホース１８をホースコネクタ部４６及び目皿４９等と共に抜き去る。次いで、別途用意した棒状の操作部５８の先端に円盤状の閉止板５９が設けられた貫通孔閉止部材６０を床スラブ貫通孔１６のファンネル部３６と接続管部３７とホースガイド管部３８とを通して下方に押し込み、閉止板５９が内フランジ部４０に当接した状態で係止させる。【００５９】  したがって、閉止板５９の径は、ホースガイド管部３８の内径よりも小さく、かつ内フランジ部４０のフランジ内径よりも大きく形成される。【００６０】  次に、床スラブ貫通孔１６にファンネル部３６からモルタル６１を注ぎ込む。【００６１】  そうすると、床スラブ貫通孔１６に注ぎ込まれたモルタル６１は閉止板５９に阻まれて、下の階に漏れ出すことなく、床スラブ貫通孔１６内を満たす。モルタル６１が固まると床スラブ貫通孔１６は塞がれる。【００６２】  本実施形態に係る仮設排水設備１１によれば、複数階建造物１の排水はポンプなどの動的な機器を使用することなく排水ピット１２に収集される。また、排水ピット１２に収集された排水は、常に沈砂容器１９を通って排水ピット１２に収集されるので、排水ピット１２から排水を複数階建造物１外に排出させる第１の排水ポンプ２５と第２の排水ポンプ２６とには砂などが入り込みにくく、排水の排出が容易になる。さらに、複数の排水ピット１２がピット間連絡配管２３で連通されているので、それぞれの排水ピット１２にポンプを設置する必要はなく、仮設排水設備１１の構成を簡略化できる。【００６３】  一方、本実施��形態の補修剤としては、モルタルだけに限られず、例えば漏水防止のコーキング材等でも良い。また、下部階への水漏れを確実に防ぐことができれば、これら本実施の形態で挙げた補修剤に限られるものではない。
【図１】
2009119518.tif 000003
【図２】
2009119518.tif 000004
【図３】
2009119518.tif 000005
【図４】
2009119518.tif 000006
【図５】
2009119518.tif 000007
【図６】
2009119518.tif 000008
【国際調査報告】
2009119518.tif 000009
2009119518.tif 000010